(57)【要約】【課題】  食器洗浄機１においてドア７の側面内側に付着した水が外部に漏出することを防止する。【解決手段】  食器洗浄機１は、洗浄室３を開閉するためのドア７を備えており、ドア７の側面下端には、ドア７の側面内側を伝って流れ落ちる水が導かれる樋３０が設けられている。ここで、樋３０の開放された排出部３０ｂは、ドア７を支える支柱６の前面６ａよりも洗浄室３の奥側まで延在されている。また、ドア７の下部には、樋３０よりも下方に延在する垂下部３５が設けられており、垂下部３５の下端には、洗浄室３の手前から奥に向けて下向きに傾斜する傾斜部３５ａ,３５ｂが形成されている。この構成により、食器洗浄機１の外部に洗浄水又は濯ぎ水が漏出することを防止することができる。【選択図】      図３
2006305121.tif 000002
【特許請求の範囲】
【請求項１】
洗浄機本体の下側部分に配置され、上向きに開口した洗浄水タンクと、
前記洗浄機本体の背面側で、上下方向に延びる支柱と、
前記洗浄機本体の上側部分で前記支柱により支持されると共に、上下方向にスライド自在で、前記洗浄水タンクに対してスライド移動することで洗浄室を開閉する箱型のドアと、を備えた食器洗浄機において、
前記ドアの側面下端の内側には、上向きに開放された樋が形成され、前記樋の後端は、前記支柱から逃げるように前記支柱の内側に折り曲げられると共に、前記樋の後端には、樋から水を逃がすための排出部が設けられており、当該樋の排出部は、前記支柱の前面よりも奥側まで延在された位置に設けられていることを特徴とする食器洗浄機。
【請求項２】
前記ドアの下部には、前記樋の前記排出部から流出する水を受けると共に、前記樋よりも下方に延在する垂下部が設けられており、
前記垂下部の下端には、前記洗浄室の手前から奥に向けて下向きに傾斜する傾斜部が形成されていることを特徴とする請求項１に記載の食器洗浄機。
【発明の詳細な説明】
【技術分野】
【０００１】
本発明は、食器類を洗浄する食器洗浄機に係り、特に、食器洗浄機において水漏れを防止可能なドア構造に関する。
【背景技術】
【０００２】
従来技術に係る食器洗浄機の一例が、特許文献１に提示されている。特許文献１では、食器洗浄機の上側部分が、上下にスライド移動するドアとなっており、このドアがスライド移動することにより洗浄室が開閉されるようになっている。食器洗浄機の洗浄室内部で、ノズルから洗浄水又は濯ぎ水が食器類に向けて噴射されることにより、食器類の洗浄が行われる。よって、食器類の洗浄後には、ドアの側面内側に、多量の洗浄水又は濯ぎ水が付着することとなる。
【特許文献１】特開２００５−３４４４９号公報
【特許文献２】特開２００１−２９２９４６号公報
【発明の開示】
【発明が解決しようとする課題】
【０００３】
上述した構造の食器洗浄機において、ドアの側面下端には、ドアの側面内側を伝って流れ落ちる洗浄水又は濯ぎ水が導かれる樋が設けられている。ドアの側面内側に付着した洗浄水又は濯ぎ水が食器類に再付着するのを防止するためである。この様子を、図７に示す。図７では、ドア開放時におけるドア５１の側面下端を、食器洗浄機５０の内側から見た様子が拡大して示されている。ドア５１の側面下端には、ドア５１の側面を構成する板材を洗浄室側に折り曲げて樋５３が形成されている。さらに、この樋５３の後端には、洗浄水又は濯ぎ水をドアの外部へ導く排出部５３ａが形成されている。ドア５１の側面内側を伝って流れ落ちた洗浄水又は濯ぎ水は、この樋５３に受け止められてから、樋５３に沿いながら排出部５３ａに向かって導かれる。洗浄水又は濯ぎ水は、排出部５３ａから流れ出てから、ドア５１の後方に設けられた支柱５２の前面５２ａを伝って流れ落ちる。
【０００４】
ここで、洗浄水又は濯ぎ水の一部は、洗浄水タンク５４のフランジ面５４ａに達すると洗浄室側へ流れ落ちて、洗浄室内に回収される。しかし、洗浄水又は濯ぎ水の残る一部は、洗浄水タンク５４のフランジ面５４ａに達すると食器洗浄機５０の外部へ流れ落ちてしまっている。このように食器洗浄機５０の外部へ流れ落ちた洗浄水又は濯ぎ水は、食器洗浄機５０の外面を伝わり、最終的には床面まで流れ落ちる。洗浄水又は濯ぎ水が床面に落ちることは、ドライ厨房のように水が床面を浸してはならない環境においては許されないことである。また、上述したような環境でないにしても、洗浄水が床面に落ちることは衛生上好ましくない。特に、洗浄水が強アルカリ性である場合には、尚更である。
【０００５】
本発明は、上述した課題を鑑みてなされたものであり、食器洗浄機においてドア側面内側に付着した水の外部への漏出を防止することを目的とする。
【課題を解決するための手段】
【０００６】
上述した目的を達成するために、本発明は、洗浄機本体の下側部分に配置され、上向きに開口した洗浄水タンクと、洗浄機本体の背面側で、上下方向に延びる支柱と、洗浄機本体の上側部分で支柱により支持されると共に、上下方向にスライド自在で、洗浄水タンクに対してスライド移動することで洗浄室を開閉する箱型のドアと、を備えた食器洗浄機において、ドアの側面下端の内側には、上向きに開放された樋が形成され、樋の後端は、支柱から逃げるように支柱の内側に折り曲げられると共に、樋の後端には、樋から水を逃がすための排出部が設けられており、樋の排出部は、支柱の前面よりも奥側まで延在された位置に設けられていることを特徴とする。
【０００７】
この構成によれば、ドアに付着した水は、ドアの側面内側を伝って流れ落ちて、ドアの側面下端に設けられた樋に受け止められる。さらに、水は、樋に沿って流れて、樋の開放された排出部まで達する。ここで、樋の排出部は、ドアを支える支柱よりも洗浄室の奥側まで延在されているため、水が支柱の前面に沿って流れ落ちることがなく、食器洗浄機の外部に水が漏出することを防止することができる。
【０００８】
また、上述した食器洗浄機において、ドアの下部には、樋の排出部から流出する水を受けると共に、樋よりも下方に延在する垂下部が設けられており、垂下部の下端には、洗浄室の手前から奥に向けて下向きに傾斜する傾斜部が形成されていることが好ましい。この構成によれば、垂下部の下端に達した洗浄水又は濯ぎ水は、傾斜部を伝って洗浄室の奥側に落ちるため、食器洗浄機の外部に水が漏出することを、より確実に防止することができる。
【発明の効果】
【０００９】
本発明によれば、食器洗浄機においてドア側面内側に付着した水が外部に漏出することを防止することができる。
【発明を実施するための最良の形態】
【００１０】
以下、図面を参照しつつ本発明に係る食器洗浄機の好適な実施形態について詳細に説明する。
【００１１】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られている。さらに、洗浄機本体２の背面側におけるコーナ部には、上側部分２ａと下側部分２ｂとに渡って上下方向に延びる支柱６が配置され、支柱６，６間には背面パネル５が延在している。
【００１２】
また、洗浄機本体２の上側部分２ａには、洗浄室３の開閉を行うための箱型のドア７が設けられている。このドア７は、左右一対のステンレス製支柱６よりも内側に配置された左右一対のガイドレール３１（図３参照）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させる必要があるので、回動アーム１０には、ドア７の側面７ａに沿って配置されたリンク部１６の上端が回動自在に連結され、リンク部１６の下端は、軸ピン１６ａを介してドア７に連結されている。なお、洗浄機本体２の底面の四隅には脚部９が取り付けられており、食器洗浄機１の安定した設置が可能となっている。
【００１３】
上述した洗浄室３内には、跳ね上げ式のラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する回転自在な上側洗浄ノズル１２と、一直線状に延びる２本のアームを有する回転自在な上側濯ぎノズル１３とが同心的に配置されている。同様に、洗浄室３内の下部には、回転自在な下側洗浄ノズル１４と下側濯ぎノズル１５とが同心的に配置されている。
【００１４】
このような構成を有する洗浄室３の底部には、機械室４内に突出するように洗浄水タンク１７が形成されており、洗浄室３と洗浄水タンク１７との間には、残菜フィルタ１８が着脱自在に配置されている。この洗浄水タンク１７の前面には、洗浄水タンク１７内に吸込口及び吐出口が位置するような洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄水タンク１７内及び洗浄室３内を通って、上側洗浄ノズル１２と下側洗浄ノズル１４とに接続されている。
【００１５】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、縦置き状態で設置されており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄水タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１６】
上述した食器洗浄機１では、食器類の洗浄又は濯ぎを行った後には、ドア７を構成する板材の内側には洗浄水又は濯ぎ水が付着する。このようにドア７の内側に付着した洗浄水又は濯ぎ水を洗浄室３内に回収するために、ドア７の下端には樋３０が形成されている。以下、この樋３０の構造を、図３〜図５を参照して説明する。図３には、ハンドル８を回動させてドア７を上方に移動させた状態において、食器洗浄機１の上側部分２ａの下半分を斜め下方から見た様子が示されている。
【００１７】
洗浄機本体２の背面側におけるコーナ部には、既述したように、ステンレス製の板材を折り曲げて、上下方向に延びる左右一対の支柱６が形成されている。ここで、板材の一部が、支柱６の前面６ａとなっている。また、各支柱６の内側には、支柱６と同様にステンレス製の板材を折り曲げて形成された左右一対のガイドレール３１が、上下方向に延びている。ガイドレール３１を形成する板材は、支柱６を形成する板材に溶接されている。これにより、ガイドレール３１は、支柱６により保持されている。
【００１８】
一方、ドア側面７ａを構成する板材の後端は、背面側のコーナ部において、支柱６から逃げるように支柱６の内側に折り曲げられ、ガイドレール３１の内部でさらに折り曲げられている。このような曲げ形成により、ドア７の後端には、ガイドレール３１に沿って転動するローラ３２，３３（図４参照）を保持するためのローラホルダー３４が形成されている。
【００１９】
また、ドア７の下端には、ドア側面７ａの下端を構成する板材を洗浄室３側に折り曲げることにより、樋３０が形成されている。これらの樋３０は、ドア７の側面下端に沿って水平に延びている。また、これらの樋３０の前端及び後端は開放されており、樋３０から水を逃がす排出部３０ａ,３０ｂとなっている。また、ドア側面７ａを構成する板材において、支柱６の内側に折り曲げられた部分には、樋３０より下方まで延在する垂下部３５が形成されている。
【００２０】
本実施形態では、ドア７の側面下端に形成された樋３０において、樋３０の後端の排出部３０ｂは、ドア７を支える支柱６の前面６ａよりも洗浄室３の奥側まで延在されている。この構成によれば、樋３０の後端の排出部３０ｂから流れ出る洗浄水又は濯ぎ水は、支柱６の前面６ａに沿って流れ落ちることがなく、食器洗浄機１の外部に洗浄水又は濯ぎ水が漏出することを防止することができる。このように洗浄水又は濯ぎ水が漏出を防止した樋３０の構造について、より詳しく説明する。図４には、図３のＡ部を水平面で切断し、当該切断面を上方から見た様子が示されている。また、図５には、図３のＡ部を洗浄機内側から見ることで、樋３０の排出部３０ｂ付近が拡大して示されている。
【００２１】
図４に示されるように、背面側のコーナ部に配置される支柱６は、ステンレス製の板材を折り曲げて、内部が空洞となった断面矩形形状に形成されており、支柱６内部の空洞には、洗浄室３の開放時にドア７を上方に移動された位置で安定させるためのバネ機構３６が収容されている。また、支柱６の内側に配置されるガイドレール３１は、ローラ３２，３３を囲むようにステンレス製の板材を折り曲げて形成されており、内側のレール面でローラ３２，３３と接している。支柱６の後側から張り出した板材６ｂは、支柱６の前側角部６ｄから張り出した板材６ｃと結合されている。ここで、この支柱６の前側角部６ｄから張り出した板材６ｃは、支柱６の前側角部６ｄ付近では、ドア側面７ａの後述する第２の部分Ｓ(ii)と平行であるが、そこから緩やかに曲がってカーブ面を形成し、板材６ｃは洗浄機本体２の背面側では背面パネル５と平行になって、背面パネル５に重ね合わされている。
【００２２】
ドア側面７ａを構成する側板Ｓは、洗浄機本体２の前側から支柱６の前面６ａにかけて延在する第１の部分Ｓ(i)と、支柱前面６ａの直前の位置から洗浄機本体２の内側に折り曲げられて斜めになった第２の部分Ｓ(ii)と、支柱６の前面６ａより洗浄室３の奥側まで延設されてから、洗浄機本体２の内側に折り曲げられて背面パネル５と平行になっている第３の部分Ｓ(iii)と、からなる。そして、側板Ｓの第３の部分Ｓ(iii)の先端は、ガイドレール３１内部で折り曲げられて、ローラホルダー３４を形成している。なお、ドア７の側面下端に形成された樋３０は、ドア７の側面内側に沿って、第１の部分Ｓ(i)の前端から第２の部分Ｓ(ii)の途中まで延在している。
【００２３】
上述した食器洗浄機１の構造によれば、食器類の洗浄又は濯ぎを行った後に、ドア７の側面内側に付着した洗浄水又は濯ぎ水は、ドア７の側面内側を伝って流れ落ちて、ドア７の側面下端に設けられた樋３０に受け止められる。その後、洗浄水又は濯ぎ水は、樋３０に沿って流れて、樋３０の後端の開放された排出部３０ｂまで達する。ここで、樋３０の後端の排出部３０ｂは、ドア７を支える支柱６の前面６ａよりも洗浄室３の奥側まで延在されているため、洗浄水又は濯ぎ水が支柱６の前面６ａに沿って流れ落ちることがなく、食器洗浄機１の外部に洗浄水又は濯ぎ水が漏出することを防止することができる。また、樋３０の後端の排出部３０ｂは、洗浄室３の奥側まで延在されているため、排出部３０ｂから流れ出た洗浄水又は濯ぎ水が食器類に再付着することがない。
【００２４】
また、図５に示されるように、ドア側面７ａを構成する側板Ｓにおいて、第２の部分Ｓ(ii)及び第３の部分Ｓ(iii)に形成された垂下部３５は、樋３０より下方まで延在している。樋３０の後端の排出部３０ｂから流れ出た洗浄水又は濯ぎ水の一部は、垂下部３５において第２の部分Ｓ(ii)及び第３の部分Ｓ(iii)に受け止められて、これらの部分Ｓ(ii),Ｓ(iii)に沿って流れ落ちる。このように垂下部３５が設けられたことにより、樋３０から流れ出た洗浄水又は濯ぎ水は、食器洗浄機１の外部に漏出しないように下方に案内される。
【００２５】
上述した垂下部３５において、第２の部分Ｓ(ii)の下端には、洗浄室３の手前から奥に向けて下向きに傾斜する傾斜部３５ａが形成されている。また、垂下部３５において、第３の部分Ｓ(iii)の下端には、洗浄室３の外側から内側に向けて下向きに傾斜する傾斜部３５ｂが形成されている。図６には、図５に示されるドア７の背面側のコーナ部を正面から見た図が示されている。第２の部分Ｓ(ii)の下端の傾斜部３５ａ、及び第３の部分Ｓ(iii)の下端の傾斜部３５ｂは、右下がりに傾斜している。参考に、垂下部３５の下端における水平線を、図５,図６中、一点鎖線Ｌで示す。このように垂下部３５の下端に傾斜部３５ａ,３５ｂが形成されることにより、垂下部３５に受け止められた洗浄水又は濯ぎ水は傾斜部３５ａ,３５ｂに達すると、傾斜部３５ａ,３５ｂを伝って洗浄室３の奥側に落ちるため、食器洗浄機１の外部に水が漏出することを、より確実に防止することができる。
【００２６】
なお、上述した実施形態では、垂下部３５の下端に傾斜部３５ａ,３５ｂを設けたが、他の実施形態では、垂下部３５の下端に傾斜部を設けずに水平にしてもよい。このように構成しても、垂下部３５により、樋３０から流れ出た洗浄水又は濯ぎ水は、垂下部３５に案内されて、食器洗浄機１の外部に漏出しない。
【００２７】
なお、上述した実施形態では、ドア側面７ａの後側部分に、背面パネル５と平行に折り曲げられた第３の部分Ｓ(iii)を設けたが、他の実施形態では、背面パネル５と平行に折り曲げられた第３の部分Ｓ(iii)が設けられない構成としてもよい。このように構成しても、樋３０から流れ出た洗浄水又は濯ぎ水は、支柱６の角部から延設された板材６ｃのカーブ面に当たってから、カーブ面に沿って案内されて、食器洗浄機１の外部に漏出しない。
【図面の簡単な説明】
【００２８】
【図１】本発明の実施形態に係る食器洗浄機の外観を示す斜視図である。
【図２】食器洗浄機の内部構造を示す断面図である。
【図３】ドア下端を下方から見た様子を示す斜視図である。
【図４】ドア下端を上方から見た様子を示す断面図である。
【図５】樋の排出部付近を示す斜視図である。
【図６】垂下部の下端に設けられた傾斜部を示す正面図である。
【図７】従来技術に係る食器洗浄機を示す斜視図である。
【符号の説明】
【００２９】
１…食器洗浄機、２…洗浄機本体、３…洗浄室、４…機械室、５…背面パネル、６…支柱、６ａ…支柱前面、７…ドア、７ａ…ドア側面、８…ハンドル、９…脚部、１０…回動アーム、３０…樋、３０ａ,３０ｂ…排出部、３１…ガイドレール、３２，３３…ローラ、３４…ローラホルダー、３５…垂下部、３５ａ,３５ｂ…傾斜部、３６…バネ機構。
【図１】
2006305121.tif 000003
【図２】
2006305121.tif 000004
【図３】
2006305121.tif 000005
【図４】
2006305121.tif 000006
【図５】
2006305121.tif 000007
【図６】
2006305121.tif 000008
【図７】
2006305121.tif 000009